(57)【要約】【課題】視聴者が、過去のデータによって、視聴時よりも先の予測を容易かつ正確に行なえるようなデジタル放送受信機を提供する。【解決手段】デジタル放送受信機において、データ放送を含むデジタル放送を受信する受信手段と、前記受信したデータ放送に含まれるデータの種類を識別して記憶手段に記憶するデータ制御手段と、前記記憶手段から同じ種類の複数のデータの少なくとも一部を読み出し、同一画面上に該読み出した複数のデータを並べて表示させる表示制御部とを備える。これにより、同じ種類の複数のデータが同一画面上に表示がされるので、例えば道路交通情報や天気情報の過去データから道路渋滞や天気の予測が容易かつ正確になる。【選択図】図３
2008252732.tif 000002
【特許請求の範囲】
【請求項１】
データ放送を含むデジタル放送を受信する受信手段と、
前記受信したデータ放送に含まれるデータの種類を識別し、時刻情報と関連付けて記憶手段に記憶するデータ制御手段と、
前記記憶手段から同じ種類の複数のデータの少なくとも一部を読み出し、同一画面上に該読み出した複数のデータを、該データの時刻情報に応じた配置で表示させる表示制御手段とを備えることを特徴とするデジタル放送受信機。
【請求項２】
前記表示制御手段は、前記データの種類に応じた配置設定でデータを表示させることを特徴とする請求項１に記載のデジタル放送受信機。
【請求項３】
前記データの表示の配置は、ユーザからの操作入力により変更可能であることを特徴とする請求項１又は２に記載のデジタル放送受信機。
【発明の詳細な説明】
【技術分野】
【０００１】
本発明は、デジタル放送のデータ放送を受信するデジタル放送受信機に関する。
【背景技術】
【０００２】
デジタル放送におけるデータ放送番組は、文字や図形、静止画、映像及び音声等の各種データが、他の番組の映像や音声信号とともに多重化され、放送局側から送られてくる。一般に、定期的に受信したデータ放送の各データは、番組情報や放送局情報と関連付けられており、これら関連情報に応じて、デジタル放送受信機内の特定のディレクトリにそれぞれ保存されるため、同じ関連情報を有するデータファイルについては、前回のものが消去され今回のものに上書きされる。つまり、逐次各特定のディレクトリの内容が更新され、最新の情報のみが表示される。このようにして、視聴者は、例えば天気予報や交通情報、ニュースなどの最新の情報を見ることができる。
【０００３】
これに対し、視聴者が即時性のない連載読み物などのデータを自動的に保存することで、後から閲覧できるようにするという技術が提案されている。
【特許文献１】特開平１１−２６１９７９
【発明の開示】
【発明が解決しようとする課題】
【０００４】
しかしながら、上述の技術のように、同じ関連情報であるデータが上書きされる場合、過去のデータを見ることができない。また、連載読み物を自動的に保存する場合、好きなときに保存されたデータを表示してみることができる。しかしながら、例えば天気予報や交通渋滞のように即時性のある情報、つまり過去よりも最新の情報が必要とされる場合であっても、過去の情報（例えば、道路渋滞状況の過去データや天気図の過去データ）と最新の情報を見比べることによって、視聴時より先の状況を推測したい場合があり、この場合上述の技術では実現することができない。
【０００５】
本発明は、上記課題を解決するためになされたもので、視聴者に同一画面上に複数の同じ種類の情報を最適な表示方法で提供するデジタル放送受信機を提供することを目的とする。
【課題を解決するための手段】
【０００６】
上記した課題を解決するために、本発明に係るデジタル放送受信機は、データ放送を含むデジタル放送を受信し、前記受信したデータ放送に含まれるデータの種類を識別し、時刻情報と関連付けて記憶手段に記憶し、前記記憶手段から同じ種類の複数のデータの少なくとも一部を読み出し、同一画面上に該読み出した複数のデータを、該データの時刻情報に応じた配置で表示させることを特徴とする。
【発明の効果】
【０００７】
本発明によれば、同じ種類の複数のデータが同一画面上に表示がされるので、例えば道路交通情報や天気情報の過去データから道路渋滞や天気の予測が容易かつ正確になる。
【発明を実施するための最良の形態】
【０００８】
以下に、図面を用いて、本発明に係るデジタル放送受信機の実施例を説明する。図１は、本発明に係るデジタル放送受信機１の概念図である。デジタル放送受信機１において、データ放送受信手段２により受信されたデータは、データの書き込みや読み出しの管理を行なう情報管理手段３に入力され、記憶手段４であるメモリに保存される。そして、ユーザが、入力手段５により視聴番組変更や表示の設定変更の操作を行ない、視聴したいデータ放送を選択指示すると、情報判別手段６により選択された情報の種類が判別され、情報管理手段３及び表示制御手段８に判別された種類情報が伝送される。情報管理手段３は、選択された種類のデータの記憶場所（メモリ内のアドレス）を表示制御手段８に伝送し、表示制御手段８は、記憶手段４からデータ及び表示配置データを読み出し、表示配置データにデータを合成し、表示手段７に出力する。つまり、情報判別手段６及び情報管理手段３をデータ制御手段９とすると、データ放送が受信手段２により受信されると、データ制御手段９に伝送され、データ制御手段９は、データの種類ごとに記憶手段４に記憶させる。そして、ユーザがデータ放送の視聴を指示すると、表示制御手段８は、記憶手段４からデータを読み出し、表示手段７に表示させる。
【０００９】
図２は、本発明に係るデジタル放送受信機のシステム構成の具体的一実施例を示す概略ブロック図であり、家庭用テレビ受信機（ケーブルテレビ受信機、ＤＶＤ／ＨＤＤレコーダ等）やデジタルデータ放送用ラジオ受信機、車載機器（車載テレビ受信機、カーナビゲーションシステム等）、携帯機器（携帯電話、ノートパソコン、ＰＤＡ、ＰＮＤ等）などに適用される。図２に示すように、放送局１１から送信されたデジタル放送波１２（例えば、地上デジタル放送の１２セグ放送や１セグ放送、ＢＳデジタル放送、ＣＳデジタル放送、衛星／地上デジタルラジオ放送（３セグ）など）は、デジタル放送受信機１で受信され、映像や音声、データ放送を視聴することができる。ＯＦＤＭ（Orthogonal Frequency Division Multiplexing：直交周波数分割多重）変調されたデジタル放送信号ＤＴ１は、アンテナ１３を介してチューナ１４で受信され、復調部１５で復調され、誤り訂正部１６で誤り訂正が施され、分離部１７に送られる。分離部１７では、デジタル放送信号ＤＴ１から、音声信号ＤＴ２を分離し音声処理手段１８に出力し、映像信号ＤＴ３を映像処理手段１９に、データ信号ＤＴ４をデータ制御手段２０にそれぞれ分離、出力する。音声処理手段１８は、ＤＳＰ（Ｄｉｇｉｔａｌ Ｓｉｇｎａｌ Ｐｒｏｃｅｓｓｏｒ）を有し、番組の音声や操作音などの音質や音量等を調整や設定を行い、音声出力手段２１により音量が増幅され、スピーカ２２により外部に出力される。映像処理手段１９では映像信号ＤＴ３の表示処理を行い、表示制御手段２３が表示手段２４に所定の形式で表示させる。データ制御手段２０は、データ信号ＤＴ４をデータの種類ごとに分離し、取得時刻やそのデータが生成された時刻などの時間情報と関連付けて記憶手段（メモリ）２５内の所定の領域に記憶させる。また、表示制御手段２３は、ユーザによる操作手段２６からの選択操作により選択されたデータをメモリから読み出し、表示手段２４に所定の形式で表示させる。なお、表示手段２４としては、液晶ディスプレイやＣＲＴ、プラズマディスプレイ、有機ＥＬマディスプレイなどがある。
【００１０】
ここで、多重放送信号ＤＴ１について説明する。地上デジタル放送の場合、図３に示すように、ＴＳ（トランスポート・ストリーム）と呼ばれる、デジタル化された各データをパケット化して送信されている。このＴＳは、ＥＰＧ（電子番組表）や映像、音声、データ（天気、ニュース、交通情報など）などの情報が含まれるパケット（ペイロード）からなり、各パケットにはヘッダ情報（例えばデータ種別など）が付加されている。ヘッダ情報を参照し、分離手段１７によって、一連の映像や音声、データとして復号・分離され（図３中段）、映像や音声として出力される（図３の最下段）。
【００１１】
次に、表示手段２４に表示されるの所定形式について説明する。ユーザが過去のデータから視聴時より先の予測を行ないたい場合、図４（ａ）のように、複数のデータを同一画面上に表示させ、さらに表示させたデータの一部のデータ表示を複数のデータで順次切り替えるようにする。具体例として、ユーザがデータ放送の「天気情報」を見る場合、例えば図４（ｂ）のように、画面の左半分に最新の天気図が表示され、右半分に天気図の履歴情報が表示される。また、右半分の履歴情報は複数あり、その一部が時系列順に順次切り替えられていく。つまり、右半分に表示される画像は、図５（ａ）〜（ｄ）のようになっており、履歴情報のうち一番古い情報から、新しい履歴へと自動的に切り替えられるため、天気図のアニメーションのように見える。このように複数の情報を同一画面上に表示させることで、最新の天気図のみを見るよりも、図５（ｅ）のように、その後の天気を予想することが容易になる。その他の例として、図６（ａ）のように画面を分割し、分割された画面内にデータ放送画像をはめ込むようにしてもよい。具体例として「交通情報」を用いる。ユーザが「交通情報」を見る場合、例えば図６（ｂ）のように、画面内の表示領域が分割され、複数の交通情報の履歴が表示される。ただし、画面の分割の仕方は、複数種類あってよく、データに応じて最適な表示を設定すればよい。最新の交通情報のみであれば、上のルートも下のルートも渋滞量は同じ６ｋｍであり、今後どちらに進むべきか予想できないが、履歴情報も同時に表示させることで、渋滞量の変化が把握でき、図６（ｃ）のように、今後の道路の渋滞量を予想することができる。つまり、ある時点のデータのみを見るよりも、過去のデータを見て、変化の流れを把握することで、その後の予測が容易かつ正確になる。従って、複数の情報を同一画面上に表示させることで、その表示からユーザは容易かつ正確に予測できるといった効果がある。なお、このデータの表示方法は、データごとに定めるようにしても良い。つまり、データの種類に応じて最適な表示をさせることによって、ユーザはさらに容易かつ正確に予測することができる。
【００１２】
これら表示の制御は、データ制御手段２０及び表示制御手段２３により行なわれる。以下にデータ制御手段２０及び表示制御手段２３の動作を図７及び図９を用いて説明する。データ制御手段２０は、主にデータ放送が受信されてから記憶手段２５に記憶されるまでの制御を行なっている。分離手段１７により分離されたデータ放送信号ＤＴ４は、まずデータの種類の判別が行われる（ＳＴ１）。そして、データの種別が、予め定められた蓄積対象の種類であるかが判別される（ＳＴ２）。蓄積対象のデータとしては、「道路交通情報」や「天気情報」、「株価情報」などがあり、非蓄積情報としては「ニュース」、「ＥＰＧ（電子番組表）」、「番組情報」、「放送局情報」、「レジャー情報」などがある。蓄積対象であれば、同じデータがすでに記録されていないかを判断し（ＳＴ３）、記録されていなければ、データ種別及び時刻情報と関連付けてメモリの所定の記憶領域に新たに記憶させる（ＳＴ４）。ただし、すでに同じデータが記録されている場合は、そのデータの上書き処理を行う（ＳＴ５）。つまり、蓄積対象のデータは、最新のデータだけではなく、過去のデータも記憶しておき、保存・蓄積させるようにする。このように、時系列のデータを保存しているため、過去のデータを時系列で見たい場合でも、所望のデータを見ることができる。なお、すでに同じデータが記憶されている場合は、新規のデータを破棄するようにしても良い。また、取得したデータが蓄積対象ではない場合、常に最新のデータのみを記憶させるようにする。すなわち、メモリ内の種類ごとに割り当てられた領域に、新しく時刻情報と関連付けて保存させ、すでに過去のデータがある場合は、上書き保存させる（ＳＴ６）。このように、最新のデータのみが必要とされるデータについては、過去のデータを蓄積せず、最新のデータのみを記憶させておくことによって、メモリを効率的に使用することができ、その節約された分だけ他に必要なデータを保存させることができる。また、蓄積対象データのうち、取得から所定期間経過したデータがあるかを判断し（ＳＴ７）、所定期間経過したデータがあれば、そのデータを削除するようにする（ＳＴ８）。こうすることにより、メモリの節約ができ、少ないメモリでも、必要十分なデータを保存することができ、安価な構成とすることができる。なお、同じデータであるかどうかは、データの種類と生成時刻で判断される。
【００１３】
ここで、取得したデータの記憶方法について説明する。図８に、記憶手段２５に記憶される内容の構成を示す。記憶手段２５には、取得したデータ情報を記憶する領域Ｍ１及びデータ放送表示フォーマットが記憶されている領域Ｍ２、データの種類と表示フォーマットの対応付けを記憶している領域Ｍ３、その他放送情報（非蓄積情報）が記憶される領域Ｍ４がある。領域Ｍ１には、蓄積対象のデータ内容とデータ制御部２０で関連付けられた付加情報が記憶されている。例えば、データの種類（「天気情報」、「交通情報」など）や時刻情報と、データ内容などが保存されている。なお、時刻情報としては、取得時刻（デジタル放送受信機１がデータを取得した時刻）や、生成時刻（放送局が放送データを生成する際に使用したデータの時刻）があり、例えば図５（ａ）であれば、生成時刻は３月５日の０：００で、取得時刻は３月５日の０：１５となる。この生成時刻によって、同じデータか否かが判別可能である。また領域Ｍ２には、データ放送を表示部に表示させる際の表示フォーマットに関する情報が記憶されている。この表示フォーマットは、複数種類用意されており、例えば図４（ａ）及び（ｂ）のように、画面の左半分に最近のデータを配置し、右半分は順次表示が切り替えられる履歴情報を配置する「表示フォーマット１」や、図６（ａ）及び（ｂ）のように、画面を複数の領域に分割し、履歴情報と最新情報を同一画面上に並べて表示させるような配置となっている「表示フォーマット２」や「表示フォーマット３」がある。また、領域Ｍ３は、データの種類とそのデータを表示させるときの表示フォーマットの対応付けをしており、例えば、データの種類が「天気」の場合は「フォーマット１」で、「道路交通情報」の場合は「フォーマット３」というように、データの種類と対応付けられた表示フォーマットを記憶している。領域Ｍ４には、「番組情報」や「番組表」、「放送局情報」などの非蓄積対象データが記憶されており、ユーザからの操作指示で表示手段２４に表示させることができる。
【００１４】
次に、図９を用いて表示制御手段２３の動作を説明する。表示制御手段２３は、主にユーザからの表示指示操作入力が行なわれてからデータを表示させるまでの制御を行なう。ユーザからデータ放送の表示指示操作があると、メモリ２５から指示されたデータと（ＳＴ１１）、データの種類に対して設定されている表示フォーマットとを読み出し（ＳＴ１２）、表示フォーマットにデータを合成させて、表示手段７に表示させる（ＳＴ１３）。データの表示後、ユーザから表示させるデータの変更指示があれば、ＳＴ１１に戻り、表示対象のデータ及び表示フォーマットを読み出し（ＳＴ１１、１２）、表示を行なう（ＳＴ１３）。また、表示フォーマットの変更指示があった場合は（ＳＴ１５）、メモリ１５内の表示させているデータと表示フォーマットの設定（領域Ｍ３）を変更した後（ＳＴ１６）、新たな表示フォーマットを読み出し（ＳＴ１２）、表示を行なう（ＳＴ１３）。以上の構成により、例えば、ユーザが「天気情報」を見たい場合、天気情報の履歴を読み出し、表示フォーマット１に当てはめることで、図４（ｂ）のような表示となる。また、ユーザが「道路交通情報」に変更した場合、図６（ｂ）の表示に切り替わる。さらにユーザの好みにより、「道路交通情報」の表示フォーマットを、フォーマット３から図４のような表示フォーマット１にしても良い。このときメモリ内の「道路交通情報」に対応するフォーマット設定が、フォーマット３からフォーマット１に変更される。
【００１５】
以上の構成により、視聴するデータの種類の複数のデータが同一画面上に表示されるので、例えば道路交通情報や天気情報の過去データから道路渋滞や天気の予測が容易かつ正確になる。さらに、ユーザが簡単な操作を行なうだけで、過去の情報を最適な表示方法で表示させることができるため、特に車載機器のような複雑な操作が行ないにくい機器に対して好適である。
【００１６】
上述したほか、データを時系列順に自動的に切り替える、いわゆるアニメーションの切り替えタイミングを設定変更できるようにしても良い。これにより、更に最適な表示にすることができる。また、ユーザのボタン操作により、前記タイミングの設定変更や表示の変更を行うようにしても良い。
【００１７】
なお、本実施例では、２つの履歴情報及び４つの履歴情報を表示させたが、履歴情報全てを表示させるようにしても良い。
【図面の簡単な説明】
【００１８】
【図１】本発明に係るデジタル放送受信機１の概念図。
【図２】本発明に係るデジタル放送受信機１のシステム構成の一実施例を示す概略ブロック図。
【図３】多重放送信号の説明図。
【図４】（ａ）〜（ｂ）本発明に係るデジタル放送受信機における表示例。
【図５】（ａ）〜（ｄ）本発明に係るデジタル放送受信機における表示方法の説明図。（ｅ）天気の予測図。
【図６】（ａ）及び（ｂ）本発明に係るデジタル放送受信機における表示の他の例。（ｃ）道路渋滞状況の予測図。
【図７】データ制御手段２０の動作フローチャート。
【図８】記憶手段（メモリ）２５の記憶内容の説明図。
【図９】表示制御手段２３の動作フローチャート。
【符号の説明】
【００１９】
１          デジタル放送受信機
２          受信手段
３          情報管理手段
４、２５    記憶手段
５、２６    操作手段
６          情報判別手段
７、２４    表示手段
８、２３    表示制御手段
９、２０    データ制御手段
１１        放送局
１７        分離手段
１８        音声処理手段
１９        映像処理手段
２１        音声出力手段
２２        スピーカ
Ｍ１        取得したデータ情報の記憶領域
Ｍ２        データ放送表示フォーマットの記憶領域
Ｍ３        データの種類と表示フォーマットの対応付けの記憶領域
Ｍ４        放送情報（非蓄積情報）の記憶領域
【図１】
2008252732.tif 000003
【図２】
2008252732.tif 000004
【図３】
2008252732.tif 000005
【図４】
2008252732.tif 000006
【図５】
2008252732.tif 000007
【図６】
2008252732.tif 000008
【図７】
2008252732.tif 000009
【図８】
2008252732.tif 000010
【図９】
2008252732.tif 000011